(57)【要約】      （修正有）【課題】アンプルの収容スペースに無駄がなく、コンパクトで、かつ波紙の材料の節約ができるアンプル収容用内箱を提供する。【解決手段】波紙２が、断面コの字形状の山と、同形状の谷が交互に並ぶように折り曲げられ、かつ、山の幅と谷の幅とがほぼ等しく、山及び谷にそれぞれアンプルが収容可能なものである。【選択図】図１
0003103989.tif 000002
【実用新案登録請求の範囲】
【請求項１】
所定厚さのシートを折り曲げて作った波紙を備えるアンプル収容用内箱であって、
前記波紙が、断面コの字形状の山と、同形状の谷が交互に並ぶように折り曲げられ、かつ、山の幅と谷の幅とがほぼ等しく、山及び谷にそれぞれアンプルが収容可能なことを特徴とするアンプル収容用内箱。
【請求項２】
前記波紙の両端は、前記山又は谷の幅と同一の長さを有し、かつ直線状に伸びて、アンプル収容用内箱の側壁に当接していることを特徴とする請求項１記載のアンプル収容用内箱。
【請求項３】
前記断面コの字形状の山の頂面及び／又は前記断面コの字形状の谷の底面は、アンプル収容用内箱の側面に貼り付け固定されていることを特徴とする請求項１記載のアンプル収容用内箱。
【請求項４】
アンプル収容用内箱は、直方体状であり、少なくともその上面が開放され、
アンプル収容用内箱の高さは、収容するアンプルの高さよりも低いことを特徴とする請求項１から請求項３のいずれかに記載のアンプル収容用内箱。
【請求項５】
前記波紙及びアンプル収容用内箱の上面には、傾斜が設けられていることを特徴とする請求項１から請求項４のいずれかに記載のアンプル収容用内箱。
【考案の詳細な説明】
【技術分野】
【０００１】
本考案は、所定厚さのシートを折り曲げて作った波紙を備えるアンプル収容用内箱に関するものである。
【背景技術】
【０００２】
従来のアンプル収容用内箱１１の形状を図６に示す。このアンプル収容用内箱１１は、台紙１３の上に、所定厚さの紙を折り曲げて作った波紙１２を貼り合わせている。
この波紙１２は、横長の紙の同一面に、山と谷を交互に形成して作ったものである。谷の幅Ｗ1は山の幅Ｗ2に比べて広くなっている。この広い谷の部分にアンプルを詰める構成となっている。
【０００３】
台紙１３の上に前記波紙１２を貼り合わせた構造の内箱１１を、外箱（図示せず）に収納した状態で、製品として出荷する。
【考案の開示】
【考案が解決しようとする課題】
【０００４】
ところで、前述した従来のアンプル収容用内箱１１では、アンプルの収容スペースに無駄が生じている。
それは、波紙１２の山の幅Ｗ2が全く利用されていないことである。そのため、山の数が図６に示したように５つあるときは、５×Ｗ2の幅が無駄になっている。
さらに、波紙１２の両端の山は、波紙１２の位置決めのためにのみ利用されていて、無駄な幅Ｗ３が生じている。このため、波紙１２の両端において、合計２×Ｗ3の幅が無駄になっている。
【０００５】
また、従来のアンプル収容用内箱１１は、図６に示すように、アンプル収容容器から手前に引き出した状態で、アンプルを上方向Ａに取り出す構造になっており、アンプル収容用内箱１１を立てた状態でアンプルを垂直上方に取り出すことは想定していない。このため、アンプル収容用内箱１１の設置場所を比較的広く必要とするという欠点もあった。
そこで、本考案は、アンプルの収容スペースに無駄がなく、コンパクトで、かつ波紙の材料の節約ができるアンプル収容用内箱を提供することを目的とする。
【０００６】
また、本考案は、立てて使用することができ、設置場所が狭くても済むアンプル収容用内箱を提供することを目的とする。
【課題を解決するための手段】
【０００７】
本考案のアンプル収容用内箱は、それを構成する波紙が、断面コの字形状の山と、同形状の谷が交互に並ぶように折り曲げられ、かつ、山の幅と谷の幅とがほぼ等しく、山及び谷にそれぞれアンプルが収容可能なものである。この構成によれば、波紙には無駄な空間が生じないで、すべてがアンプル収容スペースに使用されるため、空間の使用効率に優れている。したがって、同本数のアンプルを収容するアンプル収容用内箱としては、従来のアンプル収容用内箱よりもコンパクトなアンプル収容用内箱が提供できる。また、波紙の材料の節約もできる。
【０００８】
前記波紙の両端は、前記山又は谷の幅と同一の長さを有し、かつ直線状に伸びて、アンプル収容用内箱の側壁に当接している構造とすれば、波紙の位置決めが容易にできるとともに、この波紙の両端部分にもアンプルを収容できる。
前記断面コの字形状の山の頂面及び／又は前記断面コの字形状の谷の底面は、アンプル収容用内箱の側面に貼り付け固定されていてもよい。こうすれば、波紙の両端の直線部分がなくても、波紙の位置決めができるので、波紙の材料をさらに節約できる。
【０００９】
本考案のアンプル収容用内箱は、立てた状態で使用することもできる。このため、アンプル収容用内箱は、直方体状であり、少なくともその上面が開放され、アンプル収容用内箱の高さは、収容するアンプルの高さよりも低いことが好ましい。アンプル収容用内箱の高さは、収容するアンプルの高さよりも低くすることによって、アンプル収容用内箱を立てた状態でアンプルの取り出しが容易になる。また、アンプルがよく見えるので、その数のチェックもしやすい。
【００１０】
前記波紙及びアンプル収容用内箱の上面には、手前に向かって傾斜が設けられていてもよい。この傾斜を設けることによって、アンプルの手前前方への取り出しが容易にできるようになる。
【考案を実施するための最良の形態】
【００１１】
以下、本考案の実施の形態を、添付図面を参照しながら詳細に説明する。
図１は、本考案のアンプル収容用内箱の斜視図、図２は断面図である。
アンプル収容用内箱１は、直方体状の箱であって、四つの側面が閉じられ、上面が開放されている。底面は、閉じていてもよく、図４に示すように、アンプル収容容器３に収めた状態で使用することを想定すれば、開いていてもよい。アンプル収容用内箱１の材質は合成樹脂、紙、金属など任意である。
【００１２】
アンプル収容用内箱１は、所定厚さのシートを折り曲げて作った、アンプルの中仕切りとなる波紙２を備えている。前記シートの材質は、折り曲げ可能な材質であれば何でもよく、例えば紙、合成樹脂、金属があげられる。
波紙２は、図２に示すように、断面コの字形状の山２１と、同形状の谷２２が交互に並ぶように折り曲げられ、かつ、山２１の幅Ｄ1と谷２２の幅Ｄ2とがほぼ等しく、山２１及び谷２２にそれぞれアンプルＡが収容可能なようになっている。
【００１３】
波紙２の両端２３は、図２に示すように、直線状に伸びて、アンプル収容用内箱１の側壁に当接している。これにより、波紙２の長手方向への遊びをなくし、波紙２の位置決めを行っている。
このように、波紙２の長手方向への位置決めを行っているので、前記波紙２の山２１の頂面及び谷２２の底面と、アンプル収容用内箱１の側面とは、必ずしも貼り付け固定されている必要はない。しかし、両端２３を備えた波紙２を、アンプル収容用内箱１の側壁に接着剤で貼り付け固定してもよいのはもちろんである。
【００１４】
なお、前記波紙２の山２１の頂面及び谷２２の底面と、アンプル収容用内箱１の側面とを接着剤で貼り付け固定した場合、波紙２の両端２３をアンプル収容用内箱１の側壁に当接させなくても、波紙２の長手方向への位置決めを行うことができるので、図３に示すように、波紙２の両端２３を省略することができる。したがって、波紙２に必要なシートの長さをさらに節約できる。
【００１５】
図４は、本発明のアンプル収容用内箱１の使用状態を示す斜視図である。波紙２を備えたアンプル収容用内箱１は、２列に並べて配置され、フタ付きのアンプル収容容器３に収められる。フタを閉じてシールで密封した状態でアンプル収容容器３を出荷する。
なお、図４に示すように、アンプル収容用内箱１の高さは収容するアンプルＡの高さよりも低いものとなっている。この高さの関係により、アンプルＡを波紙２の中から容易に取り出せる。またアンプルＡがよく見えるので、その数をカウントするのも容易にできる。
【００１６】
今まで説明した波紙２及びアンプル収容用内箱１の上面は、水平であったが、傾斜を設けてもよい。
図５は、このように波紙２及びアンプル収容用内箱１の上面を傾斜面とした構造を示す斜視図である。傾斜角はθとしている。θの値は限定されないが、例えば１５°から４５°程度である。このように傾斜を設けることによって、アンプル収容用内箱１を立てた状態で、アンプルＡが取り出しやすくなる。
【００１７】
以上で、本考案の実施の形態を説明したが、本考案の実施は、前記の形態に限定されるものではない。例えば、波紙２によって作られる区画の数は５つであったが、５つに限定されず任意の数の区画を作ることが可能である。その他、本考案の範囲内で種々の変更を施すことが可能である。
【図面の簡単な説明】
【００１８】
【図１】本考案のアンプル収容用内箱の斜視図である。
【図２】本考案のアンプル収容用内箱の断面図である。
【図３】本考案の他の例を示すアンプル収容用内箱の断面図である。
【図４】アンプル収容用内箱１の使用状態を示す斜視図である。
【図５】波紙２及びアンプル収容用内箱１の上面を傾斜面とした構造を示す斜視図である。
【図６】従来のアンプル収容用内箱１１の構造を示す斜視図である。
【符号の説明】
【００１９】
１  アンプル収容用内箱
２  波紙
３  アンプル収容容器
２１  波紙の山
２２  波紙の谷
２３  波紙の両端
【図１】
0003103989.tif 000003
【図２】
0003103989.tif 000004
【図３】
0003103989.tif 000005
【図４】
0003103989.tif 000006
【図５】
0003103989.tif 000007
【図６】
0003103989.tif 000008